(57)【要約】【課題】トリップメータのリセット忘れを回避し、かつ、利用者の所望しないタイミングでリセットしてしまうことを回避することを課題とする。【解決手段】自車両の現在の状態が所定の状況になったことを検知し、所定の状況になったことが検知されたことを条件として、自車両に備えられたトリップメータをリセットするか否かを選択させる選択画面を自車両に備えられた所定の表示部に表示し、表示された選択画面の選択を受け付け、トリップメータをリセットするとの選択が受け付けられたことを条件として、トリップメータをリセットする。また、トリップメータの値を取得して保持し、リセットを取り消すとの選択が受け付けられたことを条件として、保持された値を所定の表示部および／またはトリップメータに表示する。【選択図】        図１
2008139222.tif 000002
【特許請求の範囲】
【請求項１】
自車両の現在の状態が所定の状況になったことを検知する検知手段と、
前記検知手段によって前記状況になったことが検知されたことを条件として、前記自車両に備えられたトリップメータをリセットするか否かを選択させる選択画面を当該自車両に備えられた所定の表示部に表示する表示手段と、
前記表示手段によって表示された前記選択画面の選択を受け付ける受付手段と、
前記受付手段によって前記トリップメータをリセットするとの選択が受け付けられたことを条件として、当該トリップメータをリセットするリセット手段と、
を備えたことを特徴とするトリップメータリセット装置。
【請求項２】
前記トリップメータの値を取得して保持する値保持手段と、
前記リセット手段によって前記トリップメータがリセットされたことを条件として、当該リセットを取り消すか否かを選択させる取消選択画面を前記所定の表示部に表示する取消表示手段と、
前記取消表示手段によって表示された前記取消選択画面の選択を前記所定の表示部において受け付ける取消受付手段と、
前記取消受付手段によって前記リセットを取り消すとの選択が受け付けられたことを条件として、前記値保持手段によって保持された値を前記所定の表示部および／または前記トリップメータに表示する値表示手段と、
をさらに備えたことを特徴とする請求項１に記載のトリップメータリセット装置。
【請求項３】
前記表示手段は、前記自車両に備えられた複数のトリップメータをリセットするか否かを選択させる選択画面をトリップメータごとに表示し、
前記受付手段は、前記表示手段によってトリップメータごとに表示された前記選択画面の選択をトリップメータごとに受け付け、
前記リセット手段は、前記複数のトリップメータの内、前記受付手段によって前記選択が受け付けられた所定のトリップメータをリセットすることを特徴とする請求項１または２に記載のトリップメータリセット装置。
【請求項４】
前記受付手段によって前記複数のトリップメータの内の所定のトリップメータをリセットするとの選択が受け付けられた場合に、当該所定のトリップメータを識別する識別情報を保持する識別情報保持手段をさらに備え、
前記表示手段は、前記識別情報保持手段によって保持された前記識別情報から識別される前記所定のトリップメータに関する選択画面を表示し、
前記受付手段は、前記表示手段によって表示された前記所定のトリップメータに関する選択画面の選択を受け付けることを特徴とする請求項３に記載のトリップメータリセット装置。
【請求項５】
前記表示手段によって表示される前記選択画面を表示させるか否かを選択させる表示選択画面を前記所定の表示部に表示する表示選択画面表示手段と、
前記表示選択画面表示手段によって表示された前記表示選択画面の選択を前記所定の表示部において受け付ける表示選択受付手段とをさらに備え、
前記表示手段は、前記表示選択受付手段によって前記選択画面を表示させるとの選択が受け付けられた場合には、当該選択画面を表示し、前記表示選択受付手段によって前記選択画面を表示させないとの選択が受け付けられた場合には、当該選択画面を表示しないことを特徴とする請求項１〜４のいずれか一つに記載のトリップメータリセット装置。
【発明の詳細な説明】
【技術分野】
【０００１】
この発明は、トリップメータリセット装置に関する。
【背景技術】
【０００２】
従来より、車両に備えられたトリップメータは、燃費や目的地までの走行距離を運転者に把握させること等を目的として、燃料供給時や自宅から走行を開始する時等に、運転者によってリセットされるものである。もっとも、一般的に、トリップメータのリセットは、運転者によって任意に行われるものであることから、運転者がリセットをし忘れる「リセット忘れ」が発生するおそれがある。このため、トリップメータの「リセット忘れ」を防止することを目的として、トリップメータのリセットを所定のタイミングで強制的に行う手法が提案されている。
【０００３】
例えば、特許文献１に開示されている手法では、トリップメータをリセットするリセット装置が、オイルケースや燃料タンクに設けられたスイッチにトリップメータを連動させることで、トリップメータを所定のタイミングで強制的にリセットする。また、例えば、特許文献２に開示されている手法では、リセット装置が、燃料タンクの蓋が開いたことと燃料タンクが満杯の状態になったこととを検知すると、トリップメータを強制的にリセットする。
【０００４】
【特許文献１】特開平８−２０１１０４号公報
【特許文献２】特開平９−１３８１３８号公報
【発明の開示】
【発明が解決しようとする課題】
【０００５】
ところで、上記した従来の技術では、以下に説明するように、トリップメータのリセット忘れを回避することはできても、利用者の所望しないタイミングでリセットしてしまうことを回避できないという課題があった。すなわち、特許文献１や特許文献２に開示されている手法は、トリップメータのリセットを所定のタイミングで強制的に行う手法であることから、確かにトリップメータのリセット忘れを回避することはできるが、利用者の所望しないタイミングであってもリセットが強制的に行われてしまうことになる。
【０００６】
そこで、この発明は、上記した従来技術の課題を解決するためになされたものであり、トリップメータのリセット忘れを回避することが可能であり、かつ、利用者の所望しないタイミングでリセットしてしまうことを回避することが可能なトリップメータリセット装置を提供することを目的とする。
【課題を解決するための手段】
【０００７】
上述した課題を解決し、目的を達成するため、本発明に係るトリップメータリセット装置は、自車両の現在の状態が所定の状況になったことを検知する検知手段と、前記検知手段によって前記状況になったことが検知されたことを条件として、前記自車両に備えられたトリップメータをリセットするか否かを選択させる選択画面を当該自車両に備えられた所定の表示部に表示する表示手段と、前記表示手段によって表示された前記選択画面の選択を受け付ける受付手段と、前記受付手段によって前記トリップメータをリセットするとの選択が受け付けられたことを条件として、当該トリップメータをリセットするリセット手段と、を備えたことを特徴とする。
【発明の効果】
【０００８】
請求項１の発明によれば、自車両の現在の状態が所定の状況になったことを検知し、所定の状況になったことが検知されたことを条件として、自車両に備えられたトリップメータをリセットするか否かを選択させる選択画面を自車両に備えられた所定の表示部に表示し、表示された選択画面の選択を受け付け、トリップメータをリセットするとの選択が受け付けられたことを条件として、トリップメータをリセットするので、トリップメータのリセット忘れを回避することが可能になり、かつ、利用者の所望しないタイミングでリセットしてしまうことを回避することが可能になる。
【０００９】
また、請求項２の発明によれば、トリップメータの値を取得して保持し、トリップメータがリセットされたことを条件として、リセットを取り消すか否かを選択させる取消選択画面を所定の表示部に表示し、取消選択画面の選択を所定の表示部において受け付け、リセットを取り消すとの選択が受け付けられたことを条件として、保持された値を所定の表示部および／またはトリップメータに表示するので、上記の効果に加えて、トリップメータのリセットを取り消すことが可能になる。
【００１０】
また、請求項３の発明によれば、自車両に備えられた複数のトリップメータをリセットするか否かを選択させる選択画面をトリップメータごとに表示し、トリップメータごとに表示された選択画面の選択をトリップメータごとに受け付け、複数のトリップメータの内、選択が受け付けられた所定のトリップメータをリセットするので、上記の効果に加えて、自車両に複数のトリップメータが備えられている場合にも、個々のトリップメータについて、トリップメータのリセット忘れを回避することが可能になり、かつ、利用者の所望しないタイミングでリセットしてしまうことを回避することが可能になる。
【００１１】
また、請求項４の発明によれば、複数のトリップメータの内の所定のトリップメータをリセットするとの選択が受け付けられた場合に、所定のトリップメータを識別する識別情報を保持し、保持された識別情報から識別される所定のトリップメータに関する選択画面を表示し、表示された所定のトリップメータに関する選択画面の選択を受け付けるので、上記の効果に加えて、基準となるトリップメータを識別し、基準となるトリップメータについて、トリップメータのリセット忘れを回避することが可能になり、かつ、利用者の所望しないタイミングでリセットしてしまうことを回避することが可能になる。
【００１２】
また、請求項５の発明によれば、選択画面を表示させるか否かを選択させる表示選択画面を所定の表示部に表示し、表示選択画面の選択を所定の表示部において受け付け、選択画面を表示させるとの選択が受け付けられた場合には、選択画面を表示し、選択画面を表示させないとの選択が受け付けられた場合には、選択画面を表示しないので、上記の効果に加えて、トリップメータをリセットするか否かを選択させる選択画面の表示の要否が、カスタマイズ可能になる。
【発明を実施するための最良の形態】
【００１３】
以下に添付図面を参照して、この発明に係るトリップメータリセット装置の実施例を詳細に説明する。なお、以下では、実施例で用いる主要な用語、実施例１に係るトリップメータリセット装置の概要および特徴、実施例１に係るトリップメータリセット装置の構成および処理の手順を順に説明し、最後に実施例１の効果を説明する。
【実施例１】
【００１４】
［用語の説明］
最初に、以下の実施例で用いる主要な用語を説明する。「トリップメータ」とは、車両に備えられたメータの一種である。一般的に、「トリップメータ」は、運転席のインパネ（インスツルメントパネル：Instrumental  Panel）の内部に備えられ、「３５６．１ｋｍ」等の値を液晶画面等に表示するものである。また、一般的に、「トリップメータ」は、「トリップメータ」の値をリセットするリセットボタンをインパネの内部に備えており、リセットボタンが運転者等によって押下されると、「トリップメータ」は、「トリップメータ」の値をリセットして「０．０ｋｍ」等の値を表示する。
【００１５】
かかる「トリップメータ」は、燃費や目的地までの走行距離を運転者に把握させること等を目的として、燃料供給時や自宅から走行を開始する時等に「リセット」されるものである。具体的に例を挙げて説明すると、例えば、燃料供給時に「リセット」されてから走行した車両の「トリップメータ」の値が、次の燃料供給時に「３５６．１ｋｍ」である場合には、燃料供給の値「４０Ｌ」等で除算することによって、「８．９ｋｍ／１Ｌ」という燃費が運転者に把握されることになる。また、例えば、自宅から走行を開始する時に「リセット」されてから走行した車両の「トリップメータ」の値が、目的地到着時に「１００．５ｋｍ」である場合には、目的地までの走行距離が「１００．５ｋｍ」であったことが運転者に把握されることになる。
【００１６】
このように、「トリップメータ」は、利用者の所望するタイミングで「リセット」されることで利用者に有益な情報を提供するものである。しかしながら、インパネの内部に備えられたリセットボタンが運転者等によって押下されることで「トリップメータ」が「リセット」される手法では、リセット忘れを回避することができず、また、装置が所定のタイミングで強制的に「トリップメータ」を「リセット」する手法では、利用者の所望しないタイミングでリセットしてしまうことを回避できない。このため、本発明に係る「トリップメータリセット装置」が、どのような方法でどのようなタイミングで「トリップメータ」を「リセット」するかが重要になる。
【００１７】
［実施例１に係るトリップメータリセット装置の概要および特徴］
次に、図１を用いて、実施例１に係るトリップメータリセット装置の概要および特徴を説明する。図１は、実施例１に係るトリップメータリセット装置の概要および特徴を説明するための図である。
【００１８】
実施例１に係るトリップメータリセット装置は、トリップメータをリセットすることを概要とし、トリップメータのリセット忘れを回避し、かつ、利用者の所望しないタイミングでリセットしてしまうことを回避することを主たる特徴とする。
【００１９】
この主たる特徴について簡単に説明すると、図１に示すように、実施例１に係るトリップメータリセット装置は、まず、自車両の現在の状態が所定の状況になったことを検知する。例えば、トリップメータリセット装置は、図１の（１）に示すように、燃料給油時に燃料残量の増加を検知して、自車両の現在の状態が所定の状況になったことを検知する。また、例えば、トリップメータリセット装置は、自車両に別途備えられるナビゲーション装置等において取得されるＧＰＳ（全地球測位システム：Global  Positioning  System）情報によって自宅から走行を開始することを検知して、自車両の現在の状態が所定の状況になったことを検知する。なお、所定の状況として、上記の他に、ＡＣＣ電源が「ＯＮ」の状態であることを併せて検知する場合や、トリップメータの値が「０」でないことを併せて検知する場合等、その他の条件を含めた所定の状況を検知する場合にも、本発明を同様に適用することができる。
【００２０】
次に、トリップメータリセット装置は、所定の状況になったことが検知されたことを条件として、トリップメータをリセットするか否かを選択させる選択画面を、自車両に備えられた所定の表示部に表示する。例えば、トリップメータリセット装置は、図１の（２）に示すように、「トリップメータをリセットしますか」と問い合わせる文章や、『する』のアイコンおよび『しない』のアイコン等で構成された選択画面を、自車両に備えられたディスプレイに表示する。
【００２１】
そして、トリップメータリセット装置は、選択画面の選択を受け付ける。例えば、トリップメータリセット装置は、図１の（３）に示すように、『する』のアイコンが利用者によってクリックされることによって、選択をディスプレイにおいて受け付ける。なお、実施例１においては、トリップメータリセット装置が、選択画面の選択をタッチパネルディスプレイで受け付ける手法を説明するが、本発明はこれに限られるものではなく、例えば、リモコンや他のボタン等から受け付ける手法にも、本発明を同様に適用することができる。
【００２２】
続いて、トリップメータリセット装置は、トリップメータをリセットするとの選択が受け付けられたことを条件として、トリップメータをリセットする。例えば、トリップメータリセット装置は、図１の（４）に示すように、トリップメータの値が「３５６．１ｋｍ」である場合に、トリップメータの値を「０．０ｋｍ」にリセットする。
【００２３】
このようなことから、実施例１に係るトリップメータリセット装置は、上記した主たる特徴の通り、トリップメータのリセット忘れを回避することが可能になり、かつ、利用者の所望しないタイミングでリセットしてしまうことを回避することが可能になる。
【００２４】
［実施例１に係るトリップメータリセット装置の構成］
続いて、図２〜図５を用いて、実施例１に係るトリップメータリセット装置の構成を説明する。図２は、実施例１に係るトリップメータリセット装置の構成を示すブロック図であり、図３〜図５は、表示部を説明するための図である。
【００２５】
図２に示すように、実施例１に係るトリップメータリセット装置１０は、車両１のＣＡＮ（コントロールエリアネットワーク：Control  Area  Network）２に接続する。ここで、ＣＡＮ２とは、車両１に敷設されたネットワークのことである。ＣＡＮ２は、図２に示すように、トリップメータリセット装置１０の他に、艤装系制御部２０や車両系制御部４０、図示しないその他の制御部等にも接続され、制御部間や装置間の情報の伝達を行う。なお、図２では、一つのバスから構成されたＣＡＮ２を例示するが、本発明はこれに限られるものではなく、用途別の複数のバスから構成されたＣＡＮ２にも、本発明を同様に適用することができる。
【００２６】
また、実施例１において、トリップメータリセット装置１０は、図２に示すように、ナビゲーション装置５０と接続している。また、艤装系制御部２０は、図２に示すように、トリップメータ表示部３０と接続している。以下では、まず、本発明に係るトリップメータリセット装置１０以外の艤装系制御部２０、トリップメータ表示部３０、車両系制御部４０、およびナビゲーション装置５０から説明する。
【００２７】
艤装系制御部２０は、ＣＡＮ２に接続し、車両１に備えられた電子機器等の制御を行う制御部群であり、特に本発明に密接に関連するものとしては、図２に示すように、メータ制御部２０ａを備える。メータ制御部２０ａは、車両１に備えられたメータを制御する部である。実施例１において、メータ制御部２０ａは、特に本発明に密接に関連するものとしては、トリップメータ表示部３０を制御する。具体的には、メータ制御部２０ａは、車両系制御部４０等から車両１の走行距離に関する情報を取得し、取得した情報をトリップメータ表示部３０に送信し、トリップメータ表示部３０に表示させるなどする。トリップメータ表示部３０は、車両１に備えられたメータの一種である。具体的には、トリップメータ表示部３０は、車両１の運転席のインパネの内部に備えられ、メータ制御部２０ａから送信された走行距離に関する情報を液晶画面等に表示するなどする。
【００２８】
車両系制御部４０は、ＣＡＮ２に接続し、車両１の動作制御を行う制御部群である。具体的には、車両系制御部４０は、エンジンの動作を制御するエンジン制御部、ブレーキの動作を制御するブレーキ制御部等を備え、車両１の走行距離に関する情報を取得し、取得した情報を艤装系制御部２０のメータ制御部２０ａに送信するなどする。
【００２９】
ナビゲーション装置５０は、ＧＰＳ受信機（図示略）が取得した車両１の位置情報や、ＶＩＣＳ（Vehicle  Information  and  Communication  System）受信機（図示略）が取得した道路交通情報等を利用して、走行経路の設定および誘導を行う車載装置である。実施例１において、ナビゲーション装置５０は、後述する状況検知部１３ａに接続し、車両１の位置情報を送信するなどするが、本発明はこれに限られるものではなく、後述する状況検知部１３ａが車両１の位置情報を用いずに状況検知を行う場合等には、ナビゲーション装置５０は、本発明において必須なものではない。
【００３０】
次に、本発明に係るトリップメータリセット装置１０について説明する。実施例１に係るトリップメータリセット装置１０は、図２に示すように、表示部１１と、記憶部１２と、制御部１３とから主に構成される。
【００３１】
表示部１１は、車両１に備えられたディスプレイ等である。具体的には、表示部１１は、車両１の運転席と助手席との間などに設置され、制御部１３から送信された情報や、制御部１３を介してナビゲーション装置５０から送信された情報等を表示する。なお、表示部１１は、特許請求の範囲に記載の「表示部」に対応する。
【００３２】
例えば、表示部１１は、図３に示すような情報を表示する。図３は、後述する選択画面表示部１３ｂによって送信された選択画面を、表示部１１がディスプレイに表示した一例を示すものである。図３に示すように、表示部１１は、トリップメータをリセットするか否かを選択させる選択画面として、「トリップメータをリセットしますか」と問い合わせる文章や、『する』のアイコンおよび『しない』のアイコン等で構成された選択画面を表示する。なお、図３においては、問い合わせの文章やアイコン等の他に、『走行距離』や『前回リセット日時』を表示している。これは、例えば、トリップメータリセット装置１０が、車両系制御部４０や艤装系制御部２０のメータ制御部２０ａから走行距離に関する情報を取得し、取得した走行距離に関する情報を記憶部１２に記憶し、記憶した情報を表示部１１が選択画面の一部として表示した場合等を想定したものであるが、本発明において必須なものではない。
【００３３】
また、例えば、表示部１１は、図４に示すような情報を表示する。図４は、後述する選択受付部１３ｃによって選択を受け付けられた後の画面を、表示部１１がディスプレイに表示した一例を示したものである。図４に示すように、表示部１１は、トリップメータのリセットが終了したことを示す画面として、「トリップメータをリセットしました」と報告する文章等で構成された画面を表示する。なお、実施例１においては、トリップメータリセット装置１０が、トリップメータのリセットが終了したことを示す画面として図４の例を説明したが、本発明はこれに限られるものではなく、例えば、計算された燃費の情報を表示したり、記憶部１２に記憶された情報を図示したり、あるいは、終了したことを示す画面の替わりに選択画面の割り込み状態を解除するなど、いずれでもよい。
【００３４】
また、例えば、表示部１１は、図５に示すような情報を表示する。図５は、後述する表示選択画面表示部１３ｅによって送信された表示選択画面を、表示部１１がディスプレイに表示した一例を示すものである。図５に示すように、表示部１１は、選択画面を表示するか否かを選択させる表示選択画面として、「トリップメータのリセット要否の表示」と問い合わせる文章や、『する』のアイコンおよび『しない』のアイコン等で構成された表示選択画面を表示する。
【００３５】
記憶部１２は、制御部１３による各種処理に用いるデータを記憶する部である。具体的には、記憶部１２は、制御部１３において実行されるプログラム等を記憶するなどする。
【００３６】
制御部１３は、トリップメータリセット装置１０を制御して各種処理を実行する部であり、特に本発明に密接に関連するものとしては、図２に示すように、状況検知部１３ａと、選択画面表示部１３ｂと、選択受付部１３ｃと、リセット部１３ｄと、表示選択画面表示部１３ｅと、表示選択受付部１３ｆとを備える。なお、状況検知部１３ａは、特許請求の範囲に記載の「検知手段」に対応し、選択画面表示部１３ｂは、特許請求の範囲に記載の「表示手段」に対応し、選択受付部１３ｃは、特許請求の範囲に記載の「受付手段」に対応し、リセット部１３ｄは、特許請求の範囲に記載の「リセット手段」に対応し、表示選択画面表示部１３ｅは、特許請求の範囲に記載の「表示選択画面表示手段」に対応し、表示選択受付部１３ｄは、特許請求の範囲に記載の「表示選択受付手段」に対応する。
【００３７】
状況検知部１３ａは、車両１の現在の状態が所定の状況になったことを検知する部である。具体的には、状況検知部１３ａは、予め定められた「自車両の現在の状態が所定の状況になったこと」を検知すると、検知したことを示す情報を選択画面表示部１３ｂに送信するなどする。
【００３８】
例えば、状況検知部１３ａは、「自車両の現在の状態が所定の状況になったこと」として「燃料残量の増加」が予め定められている場合には、ＣＡＮ２に接続された他の制御部等から送信された情報によって「燃料残量の増加」を検知する。また、例えば、状況検知部１３ａは、「自車両の現在の状態が所定の状況になったこと」として「自宅から走行を開始すること」が予め定められている場合には、ナビゲーション装置５０から送信された情報によって「自宅から走行を開始すること」を検知する。なお、実施例１においては、「自車両の現在の状態が所定の状況になったこと」として、「燃料残量の増加」や「自宅から走行を開始すること」の場合を説明したが、本発明はこれに限られるものではなく、「自車両の現在の状態が所定の状況になったこと」として予め定められ、状況検知部１３ａによって検知可能な場合であればいずれでもよい。また、所定の状況として、上記の他に、ＡＣＣ電源が「ＯＮ」の状態であることを併せて検知する場合や、トリップメータの値が「０」でないことを併せて検知する場合等、その他の条件を含めた所定の状況を検知する場合にも、本発明を同様に適用することができる。
【００３９】
選択画面表示部１３ｂは、状況検知部１３ａによって「自車両の現在の状態が所定の状況になったこと」を検知されたことを条件として、トリップメータをリセットするか否かを選択させる選択画面を表示部１１に表示する部である。具体的には、選択画面表示部１３ｂは、状況検知部１３ａから「自車両の現在の状態が所定の状況になったこと」を検知したことを示す情報を受信すると、選択画面を表示部１１に表示する。
【００４０】
例えば、選択画面表示部１３ｂは、図３に示すような情報を表示部１１に表示する。図３は、表示部１１がディスプレイに表示した選択画面の一例を示すものである。図３に示すように、選択画面表示部１３ｂは、トリップメータをリセットするか否かを選択させる選択画面として、「トリップメータをリセットしますか」と問い合わせる文章や、『する』のアイコンおよび『しない』のアイコン等で構成された選択画面を、表示部１１に表示する。なお、実施例１においては、選択画面表示部１３ｂが図３に示すような情報を表示部１１に表示する例を説明したが、本発明はこれに限られるものではなく、トリップメータをリセットするか否かを選択させる選択画面であれば、いずれでもよい。
【００４１】
選択受付部１３ｃは、選択画面表示部１３ｂによって表示された選択画面の選択を受け付ける部である。具体的には、選択受付部１３ｃは、選択画面の選択を表示部１１において受け付け、「トリップメータをリセットする」との選択が受け付けられた場合には、「トリップメータをリセットする」との選択が受け付けられたことを示す情報を、リセット部１３ｄに送信するなどする。例えば、選択受付部１３ｃは、図３に示すような選択画面において、『する』のアイコンが利用者によってタッチされることなどによって、選択を受け付ける。なお、実施例１においては、選択受付部１３ｃが、選択画面の選択をタッチパネルディスプレイで受け付ける手法を説明するが、本発明はこれに限られるものではなく、例えば、リモコンや他のボタン等から受け付ける手法にも、本発明を同様に適用することができる。
【００４２】
リセット部１３ｄは、選択受付部１３ｃによって「トリップメータをリセットする」との選択が受け付けられたことを条件として、トリップメータをリセットする部である。具体的には、リセット部１３ｄは、選択受付部１３ｃから「トリップメータをリセットする」との選択が受け付けられたことを示す情報を受信すると、トリップメータをリセットする。例えば、リセット部１３ｄは、艤装系制御部２０のメータ制御部２０ａに、トリップメータをリセットする信号を送信するなどする。なお、実施例１においては、リセット部１３ｄが、艤装系制御部２０のメータ制御部２０ａを介してトリップメータをリセットする手法について説明したが、本発明はこれに限られるものではなく、直接トリップメータ表示部３０に信号を送信する手法など、トリップメータをリセットする手法であれば、いずれでもよい。
【００４３】
表示選択画面表示部１３ｅは、選択画面表示部１３ｂによって表示される選択画面を表示させるか否かを選択させる表示選択画面を表示部１１に表示する部である。具体的には、表示選択画面表示部１３ｅは、トリップメータリセット装置１０の初期設定時などに、表示選択画面を表示部１１に表示する。
【００４４】
例えば、表示選択画面表示部１３ｅは、図５に示すような情報を表示する。図５は、表示部１１がディスプレイに表示した表示選択画面の一例を示すものである。図５に示すように、表示選択画面表示部１３ｅは、選択画面を表示するか否かを選択させる表示選択画面として、「トリップメータのリセット要否の表示」と問い合わせる文章や、『する』のアイコンおよび『しない』のアイコン等で構成された表示選択画面を、表示部１１に表示する。なお、実施例１においては、表示選択画面表示部１３ｅが図５に示すような情報を表示部１１に表示する例を説明したが、本発明はこれに限られるものではなく、選択画面を表示するか否かを選択させる表示選択画面であれば、いずれでもよい。
【００４５】
表示選択受付部１３ｆは、表示選択画面表示部１３ｅによって表示された表示選択画面の選択を表示部１１において受け付ける部である。具体的には、表示選択受付部１３ｆは、表示選択画面の選択を表示部１１において受け付け、「選択画面を表示させる」との選択が受け付けられた場合には、「選択画面を表示させる」との選択が受け付けられたことを示す情報を、選択画面表示部１３ｂに送信するなどする。例えば、表示選択受付部１３ｆは、図５に示すような表示選択画面において、『する』のアイコンが利用者によってタッチされることなどによって、選択を受け付ける。
【００４６】
この結果、実施例１における選択画面表示部１３ｂは、表示選択受付部１３ｆによって「選択画面を表示させる」との選択が受け付けられた場合には、選択画面を表示部１１に表示し、「選択画面を表示させない」との選択が受け付けられた場合には、選択画面を表示部１１に表示しないことになる。
【００４７】
［実施例１に係るトリップメータリセット装置の処理の手順］
次に、図６を用いて、実施例１に係るトリップメータリセット装置の処理の手順を説明する。図６は、実施例１に係るトリップメータリセット装置の処理の手順を示すフローチャートである。なお、実施例１においては、表示選択画面表示部１３ｅによって表示選択画面がすでに表示部１１に表示され、表示選択受付部１３ｆによって「選択画面を表示させる」との選択がすでに受け付けられた場合を想定する。
【００４８】
まず、トリップメータリセット装置１０は、状況検知部１３ａにおいて、「自車両の現在の状態が所定の状況になったこと」を検知したか否かを判定する（ステップＳ６０１）。検知していない場合には（ステップＳ６０１否定）、トリップメータリセット装置１０は、状況検知部１３ａにおいて、「自車両の現在の状態が所定の状況になったこと」を検知したか否かを判定する処理に戻る。
【００４９】
一方、検知した場合には（ステップＳ６０１肯定）、トリップメータリセット装置１０は、選択画面表示部１３ｂにおいて、トリップメータをリセットするか否かを選択させる選択画面を表示部１１に表示する（ステップＳ６０２）。
【００５０】
続いて、トリップメータリセット装置１０は、選択受付部１３ｃにおいて、選択画面表示部１３ｂによって表示された選択画面の選択を受け付けたか否かを判定する（ステップＳ６０３）。受け付けていない場合には（ステップＳ６０３否定）、トリップメータリセット装置１０は、選択受付部１３ｃにおいて、選択画面表示部１３ｂによって表示された選択画面の選択を受け付けたか否かを判定する処理に戻る。
【００５１】
一方、受け付けた場合には（ステップＳ６０３肯定）、次に、トリップメータリセット装置１０は、リセット部１３ｄにおいて、選択受付部１３ｃによって「トリップメータをリセットする」との選択が受け付けられたか否かを判定する（ステップＳ６０４）。「トリップメータをリセットする」との選択が受け付けられていない場合には（ステップＳ６０４否定）、トリップメータリセット装置１０は、処理を終了する。
【００５２】
一方、「トリップメータをリセットする」との選択が受け付けられた場合には（ステップＳ６０４肯定）、トリップメータリセット装置１０は、リセット部１３ｄにおいて、トリップメータをリセットする（ステップＳ６０５）。
【００５３】
こうして、実施例１に係るトリップメータリセット装置１０は、トリップメータのリセット忘れを回避することが可能になり、かつ、利用者の所望しないタイミングでリセットしてしまうことを回避することが可能になる。
【００５４】
［実施例１の効果］
上記してきたように、実施例１によれば、自車両の現在の状態が所定の状況になったことを検知し、所定の状況になったことが検知されたことを条件として、自車両に備えられたトリップメータをリセットするか否かを選択させる選択画面を自車両に備えられた所定の表示部に表示し、表示された選択画面の選択を受け付け、トリップメータをリセットするとの選択が受け付けられたことを条件として、トリップメータをリセットするので、トリップメータのリセット忘れを回避することが可能になり、かつ、利用者の所望しないタイミングでリセットしてしまうことを回避することが可能になる。
【００５５】
また、実施例１によれば、選択画面を表示させるか否かを選択させる表示選択画面を所定の表示部に表示し、表示選択画面の選択を受け付け、選択画面を表示させるとの選択が受け付けられた場合には、選択画面を表示し、選択画面を表示させないとの選択が受け付けられた場合には、選択画面を表示しないので、上記の効果に加えて、トリップメータをリセットするか否かを選択させる選択画面の表示の要否が、カスタマイズ可能になる。
【実施例２】
【００５６】
ところで、これまで実施例１として、「トリップメータをリセットする」との選択が受け付けられたことを条件としてトリップメータをリセットするトリップメータリセット装置１０について説明したが、実施例２では、実施例１に係るトリップメータリセット装置１０の機能に加えて、リセットを取り消す機能を備えたトリップメータリセット装置１０について説明する。
【００５７】
［実施例２に係るトリップメータリセット装置の構成］
まず、図７〜図９を用いて、実施例２に係るトリップメータリセット装置の構成を説明する。図７は、実施例２に係るトリップメータリセット装置の構成を示すブロック図であり、図８および図９は、表示部を説明するための図である。
【００５８】
図７に示すように、実施例２に係るトリップメータリセット装置１０は、実施例１に係るトリップメータリセット装置１０が備える各部に加え（図２を参照）、記憶部１２に、値保持部１２ａをさらに備え、制御部１３に、リセット取消表示部１３ｇと、リセット取消受付部１３ｈと、値表示部１３ｉとをさらに備える。なお、値保持部１２ａは、特許請求の範囲に記載の「値保持手段」に対応し、リセット取消表示部１３ｇは、特許請求の範囲に記載の「取消表示手段」に対応し、リセット取消受付部１３ｈは、特許請求の範囲に記載の「取消受付手段」に対応し、値表示部１３ｉは、特許請求の範囲に記載の「値表示手段」に対応する。
【００５９】
値保持部１２ａは、トリップメータの値を取得して保持する。具体的には、値保持部１２ａは、トリップメータの値を、艤装系制御部２０のメータ制御部２０ａから取得したり、トリップメータ表示部３０から直接取得するなどして保持し、保持したトリップメータの値は、後述する値表示部１３ｉによる処理に利用されるなどする。例えば、値保持部１２ａは、選択画面表示部１３ｂによって図３に示すような情報が表示部１１に表示された場合には、トリップメータの値として、「３５６．１ｋｍ」を保持するなどする。
【００６０】
リセット取消表示部１３ｇは、リセット部１３ｄによってトリップメータがリセットされたことを条件として、リセットを取り消すか否かを選択させる取消選択画面を表示部１１に表示する部である。具体的には、リセット取消表示部１３ｇは、リセット部１３ｄからトリップメータがリセットされたことを示す情報を受信すると、取消選択画面を表示部１１に表示する。
【００６１】
例えば、リセット取消表示部１３ｇは、図８に示すような情報を表示部１１に表示する。図８は、表示部１１がディスプレイに表示した取消選択画面の一例を示すものである。図８に示すように、リセット取消表示部１３ｇは、リセットを取り消すか否かを選択させる取消選択画面として、『リセットの取消』のアイコン等で構成された取消選択画面を、表示部１１に表示する。なお、実施例２においては、リセット取消表示部１３ｇが図８に示すような情報を表示部１１に表示する例を説明したが、本発明はこれに限られるものではなく、リセットを取り消すか否かを選択させる取消選択画面であれば、具体的な画面の構成はいずれでもよい。
【００６２】
リセット取消受付部１３ｈは、リセット取消表示部１３ｇによって表示された取消選択画面の選択を受け付ける部である。具体的には、リセット取消受付部１３ｈは、取消選択画面の選択を表示部１１において受け付け、「リセットを取り消す」との選択が受け付けられた場合には、「リセットを取り消す」との選択が受け付けられたことを示す情報を、値表示部１３ｉに送信するなどする。例えば、リセット取消受付部１３ｈは、図８に示すような取消選択画面において、『リセットの取消』のアイコンが利用者によってタッチされることなどによって、選択を受け付ける。なお、実施例２においては、リセット取消受付部１３ｈが、取消選択画面の選択をタッチパネルディスプレイで受け付ける手法を説明するが、本発明はこれに限られるものではなく、例えば、リモコンや他のボタン等から受け付ける手法にも、本発明を同様に適用することができる。
【００６３】
値表示部１３ｉは、リセット取消受付部１３ｈによって「リセットを取り消す」との選択が受け付けられたことを条件として、値保持部１２ａによって保持された値を表示部１１やトリップメータに表示する。具体的には、値表示部１３ｉは、リセット取消受付部１３ｈから「リセットを取り消す」との選択が受け付けられたことを示す情報を受信すると、値保持部１２ａによって保持された値を表示部１１やトリップメータに送信するなどして表示する。
【００６４】
例えば、値表示部１３ｉは、値保持部１２ａによって保持された値を、図９に示すような画面で表示部１１に表示する。なお、図９においては、「３５６．１ｋｍ」の他に、『前回リセット日時』を表示している。これは、例えば、値保持部１２ａが、車両系制御部４０や艤装系制御部２０のメータ制御部２０ａから走行距離に関する情報を取得して保持する際に、リセット日時に関する情報も対応づけて保持した場合等を想定したものであるが、本発明において必須なものではない。
【００６５】
［実施例２に係るトリップメータリセット装置の処理の手順］
次に、図１０を用いて、実施例２に係るトリップメータリセット装置の処理の手順を説明する。図１０は、実施例２に係るトリップメータリセット装置の処理の手順を示すフローチャートである。なお、実施例２においても、実施例１と同様、表示選択画面表示部１３ｅによって表示選択画面がすでに表示部１１に表示され、表示選択受付部１３ｆによって「選択画面を表示させる」との選択がすでに受け付けられた場合を想定する。
【００６６】
まず、トリップメータリセット装置１０は、実施例１と同様、「自車両の現在の状態が所定の状況になったこと」を検知したか否かを判定し、トリップメータをリセットするか否かを選択させる選択画面を表示部１１に表示し、選択画面の選択を受け付けたか否かを判定し、「トリップメータをリセットする」との選択が受け付けられた場合には、トリップメータをリセットする（ステップＳ１００１〜ステップＳ１００５）。
【００６７】
続いて、トリップメータリセット装置１０は、実施例１と異なり、リセット取消表示部１３ｇにおいて、リセットを取り消すか否かを選択させる取消選択画面を表示部１１に表示する（ステップＳ１００６）。
【００６８】
次に、トリップメータリセット装置１０は、リセット取消受付部１３ｈにおいて、リセット取消表示部１３ｇによって表示された取消選択画面の選択を表示部１１において受け付けたか否かを判定する（ステップＳ１００７）。「リセットを取り消す」との選択が受け付けられていない場合には（ステップＳ１００７否定）、トリップメータリセット装置１０は、続いて、終了ボタンが選択されたか否かを判定し（ステップＳ１００９）、終了ボタンが選択されている場合には（ステップＳ１００９肯定）、処理を終了する。終了ボタンが選択されていない場合には（ステップＳ１００９否定）、トリップメータリセット装置１０は、リセット取消受付部１３ｈにおいて、リセット取消表示部１３ｇによって表示された取消選択画面の選択を表示部１１において受け付けたか否かを判定する処理に戻る。
【００６９】
一方、「リセットを取り消す」との選択が受け付けられた場合には（ステップＳ１００７肯定）、トリップメータリセット装置１０は、値表示部１３ｉにおいて、値保持部１２ａによって保持された値を表示部１１やトリップメータに表示する（ステップＳ１００８）。
【００７０】
こうして、実施例２に係るトリップメータリセット装置１０は、実施例１の効果に加えて、トリップメータのリセットを取り消すことが可能になる。
【００７１】
［実施例２の効果］
上記してきたように、実施例２によれば、トリップメータの値を取得して保持し、トリップメータがリセットされたことを条件として、リセットを取り消すか否かを選択させる取消選択画面を所定の表示部に表示し、取消選択画面の選択を所定の表示部において受け付け、リセットを取り消すとの選択が受け付けられたことを条件として、保持された値を所定の表示部および／またはトリップメータに表示するので、実施例１の効果に加えて、トリップメータのリセットを取り消すことが可能になる。
【００７２】
なお、例えば、現在、車両が複数のトリップメータを備え、複数のトリップメータを一つの液晶表示内で循環させることによって表示させる仕組みのトリップメータが多く利用されているが、このような仕組みのトリップメータでは、リセットする予定であったトリップメータが液晶表示内に表示されていないにも関わらず、運転者による誤った操作でリセットがなされ、結果として、異なるトリップメータをリセットしてしまうおそれがある。実施例２に係るトリップメータリセット装置によれば、このような場合にも、トリップメータのリセットを取り消し、トリップメータの値を復旧することが可能になる。
【実施例３】
【００７３】
ところで、これまで実施例１および実施例２として、車両１にトリップメータ一つが備えられている事例について説明したが、本発明はこれに限られるものではなく、車両１に複数のトリップメータが備えられている事例にも、本発明を同様に適用することができる。以下では、実施例３として、車両１に複数のトリップメータが備えられている事例について説明する。
【００７４】
［実施例３に係るトリップメータリセット装置の構成］
まず、図１１を用いて、実施例３に係るトリップメータリセット装置の構成を説明する。図１１は、表示部を説明するための図である。
【００７５】
実施例３に係るトリップメータリセット装置１０は、実施例１に係るトリップメータリセット装置１０とほぼ同様の各部を備えるが（図２を参照）、記憶部１２に識別情報保持部１２ｂをさらに備え、選択画面表示部１３ｂ、選択受付部１３ｃ、およびリセット部１３ｄが、実施例１における選択画面表示部１３ｂ、選択受付部１３ｃ、およびリセット部１３ｄに加えて、異なる機能を有する。
【００７６】
識別情報保持部１２ｂは、選択受付部１３ｃによって複数のトリップメータの内の所定のトリップメータをリセットするとの選択が受け付けられた場合に、所定のトリップメータを識別する情報を保持する部である。具体的には、識別情報保持部１２ｂは、選択受付部１３ｃから「トリップメータＡをリセットする」との選択が受け付けられたことを示す情報を受信すると、トリップメータＡを識別する情報を保持し、保持した情報は、選択画面表示部１３ｂによる処理などに利用される。
【００７７】
選択画面表示部１３ｂは、実施例１と同様の機能に加え、車両１に備えられた複数のトリップメータをリセットするか否かを選択させる選択画面をトリップメータごとに表示部１１に表示する部である。また、選択画面表示部１３ｂは、識別情報保持部１２ｂによって識別情報が保持されている場合には、識別情報保持部１２ｂによって保持された識別情報から識別される所定のトリップメータに関する選択画面を表示する。
【００７８】
例えば、選択画面表示部１３ｂは、図１１に示すような情報を表示部１１に表示する。図１１は、表示部１１がディスプレイに表示した選択画面の一例を示すものである。図１１に示すように、選択画面表示部１３ｂは、複数のトリップメータをリセットするか否かを選択させる選択画面として、「トリップメータＡをリセットしますか」、「トリップメータＢをリセットしますか」とトリップメータごとに問い合わせる文章や、トリップメータごとに『する』のアイコンおよび『しない』のアイコン等で構成された選択画面を、表示部１１に表示する。なお、実施例３においては、選択画面表示部１３ｂが図１１に示すような情報を表示部１１に表示する例を説明したが、本発明はこれに限られるものではなく、複数のトリップメータをリセットするか否かの選択画面をトリップメータごとに表示するのであれば、いずれでもよい。
【００７９】
また、例えば、選択画面表示部１３ｂは、識別情報保持部１２ｂによって識別情報（トリップメータＡ）が保持されている場合には、識別情報から識別される所定のトリップメータ（トリップメータＡ）に関する選択画面を表示する。すなわち、図１１の上半分に表示した選択画面のみを表示するなどする。
【００８０】
選択受付部１３ｃは、実施例１と同様の機能に加え、選択画面表示部１３ｂによってトリップメータごとに表示された選択画面の選択をトリップメータごとに受け付ける部である。また、選択受付部１３ｃは、識別情報保持部１２ｂによって識別情報が保持されている場合には、識別情報保持部１２ｂによって保持された識別情報から識別される所定のトリップメータに関して、選択画面表示部１３ｂによって表示された選択画面の選択を所定の表示部において受け付ける部である。
【００８１】
具体的には、選択受付部１３ｃは、選択画面の選択をトリップメータごとに受け付け、「トリップメータＡをリセットする」との選択が受け付けられた場合には、「トリップメータＡをリセットする」との選択が受け付けられたことを示す情報を、リセット部１３ｄに送信するなどする。例えば、選択受付部１３ｃは、図１１に示すような選択画面において、トリップメータＡに対応する『する』のアイコンが利用者にタッチされることなどによって、選択を受け付ける。
【００８２】
また、例えば、選択受付部１３ｃは、識別情報保持部１２ｂによって識別情報（トリップメータＡ）が保持されている場合には、所定のトリップメータ（トリップメータＡ）に関する選択のみを、表示部１１において受け付ける。
【００８３】
リセット部１３ｄは、実施例１と同様の機能に加え、複数のトリップメータの内、選択受付部１３ｃによって選択が受け付けられた所定のトリップメータをリセットする部である。具体的には、リセット部１３ｄは、選択受付部１３ｃから「トリップメータＡをリセットする」との選択が受け付けられたことを示す情報を受信すると、トリップメータＡをリセットする。
【００８４】
［実施例３の効果］
上記してきたように、実施例３の発明によれば、自車両に備えられた複数のトリップメータをリセットするか否かを選択させる選択画面をトリップメータごとに表示し、トリップメータごとに表示された選択画面の選択をトリップメータごとに受け付け、複数のトリップメータの内、選択が受け付けられた所定のトリップメータをリセットするので、実施例１の効果に加えて、自車両に複数のトリップメータが備えられている場合にも、個々のトリップメータについて、トリップメータのリセット忘れを回避することが可能になり、かつ、利用者の所望しないタイミングでリセットしてしまうことを回避することが可能になる。
【００８５】
また、実施例３の発明によれば、複数のトリップメータの内の所定のトリップメータをリセットするとの選択が受け付けられた場合に、所定のトリップメータを識別する識別情報を保持し、保持された識別情報から識別される所定のトリップメータに関する選択画面を表示し、表示された所定のトリップメータに関する選択画面の選択を受け付けるので、実施例１の効果に加えて、基準となるトリップメータを識別し、基準となるトリップメータについて、トリップメータのリセット忘れを回避することが可能になり、かつ、利用者の所望しないタイミングでリセットしてしまうことを回避することが可能になる。
【実施例４】
【００８６】
さて、これまで実施例１〜３に係るトリップメータリセット装置について説明したが、本発明は上述した実施例以外にも、種々の異なる形態にて実施されてよいものである。そこで、以下では、実施例４に係るトリップメータリセット装置として、異なる実施例を説明する。
【００８７】
［システム構成等］
上記の実施例１〜３では、トリップメータリセット装置が、表示選択画面を所定の表示部に表示し、選択画面を表示させるか否かの選択を受け付ける手法（選択画面の表示の要否がカスタマイズ可能な手法）について説明したが、本発明はこれに限られるものではなく、トリップメータリセット装置が、表示選択画面を表示せず、選択画面を表示させるか否かの選択を受け付けない手法にも、本発明を同様に適用することができる。この場合には、トリップメータリセット装置において、常に選択画面を表示する運用がなされることが望ましい。
【００８８】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８９】
また、図示した各装置の各構成要素は機能概念的なものであり、必ずしも物理的に図示（例えば、図２など）の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９０】
なお、本実施例で説明したトリップメータリセット方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００９１】
以上のように、本発明に係るトリップメータリセット装置は、トリップメータをリセットすることに有用であり、特に、トリップメータのリセット忘れを回避し、かつ、利用者の所望しないタイミングでリセットしてしまうことを回避することに適する。
【図面の簡単な説明】
【００９２】
【図１】実施例１に係るトリップメータリセット装置の概要および特徴を説明するための図である。
【図２】実施例１に係るトリップメータリセット装置の構成を示すブロック図である。
【図３】表示部を説明するための図である。
【図４】表示部を説明するための図である。
【図５】表示部を説明するための図である。
【図６】実施例１に係るトリップメータリセット装置の処理の手順を示すフローチャートである。
【図７】実施例２に係るトリップメータリセット装置の構成を示すブロック図である。
【図８】表示部を説明するための図である。
【図９】表示部を説明するための図である。
【図１０】実施例２に係るトリップメータリセット装置の処理の手順を示すフローチャートである。
【図１１】表示部を説明するための図である。
【符号の説明】
【００９３】
１  車両
２  ＣＡＮ
１０  トリップメータリセット装置
１１  表示部
１２  記憶部
１２ａ  値保持部
１３  制御部
１３ａ  状況検知部
１３ｂ  選択画面表示部
１３ｃ  選択受付部
１３ｄ  リセット部
１３ｅ  表示選択画面表示部
１３ｆ  表示選択受付部
１３ｇ  リセット取消表示部
１３ｈ  リセット取消受付部
１３ｉ  値表示部
２０  艤装系制御部
２０ａ  メータ制御部
３０  トリップメータ表示部
４０  車両系制御部
５０  ナビゲーション装置
【図１】
2008139222.tif 000003
【図２】
2008139222.tif 000004
【図３】
2008139222.tif 000005
【図４】
2008139222.tif 000006
【図５】
2008139222.tif 000007
【図６】
2008139222.tif 000008
【図７】
2008139222.tif 000009
【図８】
2008139222.tif 000010
【図９】
2008139222.tif 000011
【図１０】
2008139222.tif 000012
【図１１】
2008139222.tif 000013